(57)【要約】  本発明は、通信方法、アクセスネットワークデバイス、および端末に関する。方法は、第1のアクセスネットワークデバイスによって、第1の搬送波と第2の搬送波のタイミングオフセットを決定するステップであって、タイミングオフセットは、第1の搬送波のダウンリンク通信のタイミングと第2の搬送波のアップリンク通信のタイミングとの間のずれであり、第1の搬送波は、第1の無線アクセス技術RATを用いた搬送波であり、第2の搬送波は、第1のRATおよび第2のRATを使用するアップリンク周波数分割複信FDD搬送波である、ステップと、第1のアクセスネットワークデバイスによって、第1の指示情報を端末に送信するステップであり、第1の指示情報が、上記のタイミングオフセットを示すために使用され、上記のタイミングオフセットが、第2の搬送波のタイミングを決定するために使用される、ステップと、を含みうる。方法によれば、タイミングオフセットの指示が使用され、それによって端末は共用周波数帯域内の時間位置を取得し、それによりLTEの共用周波数帯域リソースを使用することができ、これによりリソース利用率を改善する。
2020504561.tif 000002
【特許請求の範囲】
【請求項１】
第1のアクセスネットワークデバイスによって実行される通信方法であって、
第1の搬送波と第2の搬送波のタイミングオフセットを決定するステップであって、前記タイミングオフセットは、前記第1の搬送波のダウンリンク通信のタイミングと前記第2の搬送波のアップリンク通信のタイミングとの間のずれである、ステップと、
第1の指示情報を端末に送信するステップであって、前記第1の指示情報は、前記タイミングオフセットを示すために使用され、前記タイミングオフセットは、前記第2の搬送波の前記タイミングを決定するために使用される、ステップと、
を含む、通信方法。
【請求項２】
前記第1の搬送波は、第1の無線アクセス技術RATを用いた搬送波であり、前記第2の搬送波は、前記第1のRATおよび第2のRATを用いたアップリンク周波数分割複信FDD搬送波である、請求項1に記載の方法。
【請求項３】
第1の搬送波と第2の搬送波のタイミングオフセットを決定する前記ステップは、
前記第1のアクセスネットワークデバイスの前記第1の搬送波と前記第1のアクセスネットワークデバイスの前記第2の搬送波のタイミングオフセットを決定するステップを含む、請求項1または2に記載の方法。
【請求項４】
第1の指示情報を前記端末に送信する前記ステップは、
前記第1の搬送波上で搬送されるシステムメッセージを使用することによって前記第1の指示情報を前記端末に送信するステップを含む、請求項1から3のいずれか一項に記載の方法。
【請求項５】
第1の搬送波と第2の搬送波のタイミングオフセットを決定する前記ステップは、
第2のアクセスネットワークデバイスから第2の指示情報を受信するステップであって、前記第2の指示情報は、前記第2のアクセスネットワークデバイスの前記第1の搬送波と前記第2のアクセスネットワークデバイスの前記第2の搬送波のタイミングオフセットを示すために使用され、前記第1のアクセスネットワークデバイスは、前記端末によってアクセスされるソースアクセスネットワークであり、前記第2のアクセスネットワークデバイスは、前記端末のハンドオーバのためのターゲットアクセスネットワークデバイスである、ステップと、
前記第2の指示情報に基づいて、前記第2のアクセスネットワークデバイスの前記第1の搬送波と前記第2のアクセスネットワークデバイスの前記第2の搬送波の前記タイミングオフセットを決定するステップと、
を含む、請求項1または2に記載の方法。
【請求項６】
前記第1の搬送波上で搬送される上位レイヤのシグナリングを使用することによって、第3の指示情報を前記端末に送信するステップであって、前記第3の指示情報は、前記第2の搬送波の利用可能なリソースを示すために使用される、ステップと、
前記第1のアクセスネットワークデバイスによって前記第2の搬送波上で、前記利用可能なリソースを使用することによって前記端末によって送信される信号を受信するステップと、
をさらに含む、請求項1から4のいずれか一項に記載の方法。
【請求項７】
前記第1の搬送波上で搬送される物理レイヤシグナリングを使用することによって第3の指示情報を前記端末に送信するステップであって、前記第3の指示情報は、遅延情報を含み、前記遅延情報は、前記第2の搬送波の利用可能なスロットの量を示すために使用されるか、または前記遅延情報は、前記第1の搬送波の利用可能なスロットの量を示すために使用される、ステップをさらに含む、請求項1から4のいずれか一項に記載の方法。
【請求項８】
第4の指示情報を前記端末に送信するステップであって、前記第4の指示情報は、前記第2の搬送波のリソース構成情報を示すために使用され、前記第2の搬送波の前記リソース構成情報によって示されるリソースは、前記端末の利用不可能なリソースである、ステップをさらに含む、請求項1から7のいずれか一項に記載の方法。
【請求項９】
端末によって実行される通信方法であって、前記方法は、
第1のアクセスネットワークデバイスから第1の指示情報を受信するステップであって、前記第1の指示情報は、第1の搬送波と第2の搬送波のタイミングオフセットを示すために使用され、前記タイミングオフセットは、前記第1の搬送波のダウンリンク通信のタイミングと前記第2の搬送波のアップリンク通信のタイミングとの間のずれである、ステップと、
前記第1の搬送波の前記タイミングおよび前記タイミングオフセットに基づいて、前記第2の搬送波の前記タイミングを決定するステップと、
を含む、通信方法。
【請求項１０】
前記第1の搬送波は、第1の無線アクセス技術RATを用いた搬送波であり、前記第2の搬送波は、前記第1のRATおよび第2のRATを用いたアップリンク周波数分割複信FDD搬送波である、請求項1に記載の方法。
【請求項１１】
前記タイミングオフセットは、前記第1のアクセスネットワークデバイスの前記第1の搬送波と前記第1のアクセスネットワークデバイスの前記第2の搬送波のタイミングオフセットである、請求項9または10に記載の方法。
【請求項１２】
第1のアクセスネットワークデバイスから第1の指示情報を受信する前記ステップは、
前記第1の搬送波上で搬送されるシステムメッセージを使用することによって、前記第1のアクセスネットワークデバイスから前記第1の指示情報を受信するステップを含む、請求項9から11のいずれか一項に記載の方法。
【請求項１３】
前記タイミングオフセットは、第2のアクセスネットワークデバイスの前記第1の搬送波と前記第2のアクセスネットワークデバイスの前記第2の搬送波のタイミングオフセットであり、前記第2のアクセスネットワークデバイスは、前記端末のハンドオーバのためのターゲットアクセスネットワークデバイスであり、
前記第2の搬送波の前記タイミングを決定する前記ステップは、
前記第2のアクセスネットワークデバイスの前記第1の搬送波と前記第2のアクセスネットワークデバイスの前記第2の搬送波の前記タイミングオフセット、および前記第2のアクセスネットワークデバイスの前記第1の搬送波の前記タイミングに基づいて、前記第2のアクセスネットワークデバイスの前記第2の搬送波の前記タイミングを決定するステップを含む、請求項9または10に記載の方法。
【請求項１４】
前記第1の搬送波上で搬送される上位レイヤのシグナリングを使用することによって、前記第1のアクセスネットワークデバイスから第3の指示情報を受信するステップであって、前記第3の指示情報は、前記第2の搬送波の利用可能なリソースを示すために使用される、ステップと、
前記利用可能なリソースを使用することによって、前記第1のアクセスネットワークデバイスに信号を送信するステップと、
をさらに含む、請求項9から12のいずれか一項に記載の方法。
【請求項１５】
前記第1の搬送波上で搬送される物理レイヤシグナリングを使用することによって、前記第1のアクセスネットワークデバイスから第3の指示情報を受信するステップであって、前記第3の指示情報は、遅延情報を含み、前記遅延情報は、前記第2の搬送波の利用可能なスロットの量を示すために使用されるか、または前記遅延情報は、前記第1の搬送波の利用可能なスロットの量を示すために使用される、ステップをさらに含む、請求項9から12のいずれか一項に記載の方法。
【請求項１６】
前記遅延情報は、前記第2の搬送波の利用可能なスロットの前記量を示すために使用され、前記方法は、
前記第2の搬送波の前記タイミングに基づいて前記第2の搬送波のスロットを取得するステップであって、前記第2の搬送波の前記スロットは、前記第2の搬送波上にあり、前記第3の指示情報が受信されるスロットに対応するスロットである、ステップと、
前記第2の搬送波の前記スロットおよび前記遅延情報に基づいて前記第2の搬送波の利用可能なリソースを取得するステップと、
前記第2の搬送波の前記利用可能なリソースを使用することによって、前記第1のアクセスネットワークデバイスに信号を送信するステップと、
をさらに含む、請求項15に記載の方法。
【請求項１７】
前記遅延情報は、前記第1の搬送波の利用可能なスロットの前記量を示すために使用され、前記方法は、
前記第3の指示情報が受信されるスロット、および前記遅延情報に基づいて、前記第1の搬送波の利用可能なスロットを取得するステップと、
前記第2の搬送波の前記タイミングに基づいて、前記第1の搬送波の前記利用可能なスロットに対応する、前記第2の搬送波の利用可能なリソースを取得するステップと、
前記第2の搬送波の前記利用可能なリソースを使用することによって、前記第1のアクセスネットワークデバイスと通信するステップと、
をさらに含む、請求項15に記載の方法。
【請求項１８】
前記第1のアクセスネットワークデバイスから第4の指示情報を受信するステップであって、前記第4の指示情報は、前記第2の搬送波のリソース構成情報を示すために使用され、前記第2の搬送波の前記リソース構成情報によって示されるリソースは、前記端末の利用不可能なリソースである、ステップをさらに含む、請求項9から17のいずれか一項に記載の方法。
【請求項１９】
前記第2の搬送波の前記タイミングを決定する前記ステップは、
前記第1の搬送波のサブフレームの境界、および前記タイミングオフセットに基づいて、前記第2の搬送波のサブフレームの境界を決定するステップ、または
前記第1の搬送波のシンボルの境界、および前記タイミングオフセットに基づいて、前記第2の搬送波のシンボルの境界を決定するステップ、
を含む、請求項9から18のいずれか一項に記載の方法。
【請求項２０】
前記第2の搬送波の前記タイミングを決定する前記ステップは、
前記タイミングオフセット、および前記第1の搬送波のサブフレームの境界またはシンボルの境界に基づいて、前記第2の搬送波上でアップリンク信号が送信される開始位置を決定するステップを含む、請求項9から18のいずれか一項に記載の方法。
【請求項２１】
アクセスネットワークデバイスであって、前記アクセスネットワークデバイスは第1のアクセスネットワークデバイスであり、前記デバイスは、
第1の搬送波と第2の搬送波のタイミングオフセットを決定するよう構成されたプロセッサであって、前記タイミングオフセットは、前記第1の搬送波のダウンリンク通信のタイミングと前記第2の搬送波のアップリンク通信のタイミングとの間のずれである、プロセッサと、
第1の指示情報を端末に送信するよう構成された送信器であって、前記第1の指示情報は、前記タイミングオフセットを示すために使用され、前記タイミングオフセットは、前記第2の搬送波の前記タイミングを決定するために使用される、送信器と、を備える、アクセスネットワークデバイス。
【請求項２２】
前記第1の搬送波は、第1の無線アクセス技術RATを用いた搬送波であり、前記第2の搬送波は、前記第1のRATおよび第2のRATを用いたアップリンク周波数分割複信FDD搬送波である、請求項21に記載のデバイス。
【請求項２３】
前記プロセッサは、前記デバイスの前記第1の搬送波と前記デバイスの前記第2の搬送波の前記タイミングオフセットを決定するように特に構成される、請求項21または22に記載のデバイス。
【請求項２４】
前記送信器は、前記第1の搬送波上で搬送されるシステムメッセージを使用することによって前記第1の指示情報を前記端末に送信するように特に構成される、請求項21から23のいずれか一項に記載のデバイス。
【請求項２５】
前記デバイスは、受信器をさらに含み、
前記受信器は、第2のアクセスネットワークデバイスから第2の指示情報を受信するよう構成され、前記第2の指示情報は、前記第2のアクセスネットワークデバイスの前記第1の搬送波と前記第2のアクセスネットワークデバイスの前記第2の搬送波の前記タイミングオフセットを示すために使用され、前記第1のアクセスネットワークデバイスは、前記端末によってアクセスされるソースアクセスネットワークであり、前記第2のアクセスネットワークデバイスは、前記端末のハンドオーバのためのターゲットアクセスネットワークデバイスであり、
前記プロセッサは、前記第2の指示情報に基づいて、前記第2のアクセスネットワークデバイスの前記第1の搬送波と前記第2のアクセスネットワークデバイスの前記第2の搬送波の前記タイミングオフセットを決定するようさらに構成される、請求項21または22に記載のデバイス。
【請求項２６】
前記デバイスは、受信器をさらに含み、
前記送信器は、前記第1の搬送波上で搬送される上位レイヤのシグナリングを使用することによって、第3の指示情報を前記端末に送信するようさらに構成され、前記第3の指示情報は、前記第2の搬送波の利用可能なリソースを示すために使用され、
前記受信器は、前記第2の搬送波上で、前記利用可能なリソースを使用することによって、前記端末から送信される信号を受信するようさらに構成される、請求項21から24のいずれか一項に記載のデバイス。
【請求項２７】
前記送信器は、前記第1の搬送波上で搬送される物理レイヤシグナリングを使用することによって第3の指示情報を前記端末に送信するようさらに構成され、前記第3の指示情報は、遅延情報を含み、前記遅延情報は、前記第2の搬送波の利用可能なスロットの量を示すために使用されるか、または前記遅延情報は、前記第1の搬送波の利用可能なスロットの量を示すために使用される、請求項21から24のいずれか一項に記載のデバイス。
【請求項２８】
前記送信器は、第4の指示情報を前記端末に送信するよう構成され、前記第4の指示情報は、前記第2の搬送波のリソース構成情報を示すために使用され、前記第2の搬送波の前記リソース構成情報によって示されるリソースは、前記端末の利用不可能なリソースである、請求項21から27のいずれか一項に記載のデバイス。
【請求項２９】
端末であって、前記端末は、
第1のアクセスネットワークデバイスから第1の指示情報を受信するよう構成された受信器であって、前記第1の指示情報は、第1の搬送波と第2の搬送波のタイミングオフセットを示すために使用され、前記タイミングオフセットは、前記第1の搬送波のダウンリンク通信のタイミングと前記第2の搬送波のアップリンク通信のタイミングとの間のずれである、受信器と、
前記第1の搬送波の前記タイミングおよび前記タイミングオフセットに基づいて、前記第2の搬送波の前記タイミングを決定するよう構成されたプロセッサと、
を備える、端末。
【請求項３０】
前記第1の搬送波は、第1の無線アクセス技術RATを用いた搬送波であり、前記第2の搬送波は、前記第1のRATおよび第2のRATを用いたアップリンク周波数分割複信FDD搬送波である、請求項29に記載の端末。
【請求項３１】
前記タイミングオフセットは、前記第1のアクセスネットワークデバイスの前記第1の搬送波と前記第1のアクセスネットワークデバイスの前記第2の搬送波のタイミングオフセットである、請求項29または30に記載の端末。
【請求項３２】
前記受信器は、前記第1の搬送波上で搬送されるシステムメッセージを使用することによって、前記第1のアクセスネットワークデバイスから前記第1の指示情報を受信するように特に構成される、請求項29から31のいずれか一項に記載の端末。
【請求項３３】
前記タイミングオフセットは、第2のアクセスネットワークデバイスの前記第1の搬送波と前記第2のアクセスネットワークデバイスの前記第2の搬送波のタイミングオフセットであり、前記第2のアクセスネットワークデバイスは、前記端末のハンドオーバのためのターゲットアクセスネットワークデバイスであり、
前記プロセッサは、前記第2のアクセスネットワークデバイスの前記第1の搬送波と前記第2のアクセスネットワークデバイスの前記第2の搬送波の前記タイミングオフセット、および前記第2のアクセスネットワークデバイスの前記第1の搬送波の前記タイミングに基づいて、前記第2のアクセスネットワークデバイスの前記第2の搬送波の前記タイミングを決定するよう構成される、請求項29または30に記載の端末。
【請求項３４】
前記端末は、送信器をさらに備え、
前記受信器は、前記第1の搬送波上で搬送される上位レイヤのシグナリングを使用することによって、前記第1のアクセスネットワークデバイスから第3の指示情報を受信するようさらに構成され、前記第3の指示情報は、前記第2の搬送波の利用可能なリソースを示すために使用され、
前記送信器は、前記利用可能なリソースを使用することによって、前記第1のアクセスネットワークデバイスに信号を送信するよう構成される、請求項29から32のいずれか一項に記載の端末。
【請求項３５】
前記受信器は、前記第1の搬送波上で搬送される物理レイヤシグナリングを使用することによって、前記第1のアクセスネットワークデバイスから第3の指示情報を受信するようさらに構成され、前記第3の指示情報は、遅延情報を含み、前記遅延情報は、前記第2の搬送波の利用可能なスロットの量を示すために使用されるか、または前記遅延情報は、前記第1の搬送波の利用可能なスロットの量を示すために使用される、請求項29から32のいずれか一項に記載の端末。
【請求項３６】
前記遅延情報は、前記第2の搬送波の利用可能なスロットの前記量を示すために使用され、
前記プロセッサは、前記第2の搬送波の前記タイミングに基づいて前記第2の搬送波のスロットを取得するよう構成され、前記第2の搬送波の前記スロットは、前記第3の指示情報は受信されるスロットに対応する、前記第2の搬送波上のスロットであり、
前記プロセッサは、前記第2の搬送波の前記スロットおよび前記遅延情報に基づいて前記第2の搬送波の利用可能なリソースを取得するようさらに構成され、
前記送信器は、前記利用可能なリソースを使用することによって、前記第1のアクセスネットワークデバイスに信号を送信するよう構成される、請求項35に記載の端末。
【請求項３７】
前記遅延情報は、前記第1の搬送波の利用可能なスロットの前記量を示すために使用され、
前記プロセッサは、前記第3の指示情報が受信されるスロット、および前記遅延情報に基づいて、前記第1の搬送波の利用可能なスロットを取得するよう構成され、
前記プロセッサは、前記第2の搬送波の前記タイミングに基づいて、前記第1の搬送波の前記利用可能なスロットに対応する、前記第2の搬送波の利用可能なリソースを取得し、前記第2の搬送波の前記利用可能なリソースを使用することによって、前記第1のアクセスネットワークデバイスと通信するようさらに構成される、請求項35に記載の端末。
【請求項３８】
前記受信器は、前記第1のアクセスネットワークデバイスから第4の指示情報を受信するようさらに構成され、前記第4の指示情報は、前記第2の搬送波のリソース構成情報を示すために使用され、前記第2の搬送波の前記リソース構成情報によって示されるリソースは、前記端末の利用不可能なリソースである、請求項29から37のいずれか一項に記載の端末。
【請求項３９】
前記プロセッサは、前記第1の搬送波のサブフレームの境界、および前記タイミングオフセットに基づいて、前記第2の搬送波のサブフレームの境界を決定するよう構成されるか、または
前記第1の搬送波のシンボルの境界、および前記タイミングオフセットに基づいて、前記第2の搬送波のシンボルの境界を決定するよう構成される、請求項29から38のいずれか一項に記載の端末。
【請求項４０】
前記プロセッサは、前記タイミングオフセット、および前記第1の搬送波のサブフレームの境界またはシンボルの境界に基づいて、前記第2の搬送波上でアップリンク信号が送信される開始位置を決定するよう構成される、請求項26から38のいずれか一項に記載の端末。
【請求項４１】
プロセッサと、前記プロセッサに結合されたメモリとを備える、通信装置であって、前記メモリは、プログラムを格納するよう構成され、前記プロセッサは、前記プログラムを実行するよう構成され、前記プログラムが実行されると、請求項1から20のいずれか一項に記載の方法のステップが実施される、通信装置。
【請求項４２】
命令を含むコンピュータ記憶媒体であって、前記命令がコンピュータ上で実行されると、前記コンピュータが、請求項1から20のいずれか一項に記載の方法を実行することができるようになる、コンピュータ記憶媒体。
【発明の詳細な説明】
【技術分野】
【０００１】
本願は、参照によりその全体を本明細書に組み込む、2017年1月6日に中国特許庁に出願された「COMMUNICATION METHOD, ACCESS NETWORK DEVICE, AND TERMINAL」なる名称の中国特許出願第201710010644.2号に基づく優先権を主張するものである。
【０００２】
本発明は、通信の分野に関連し、特に、通信方法、アクセスネットワークデバイス、および端末に関する。
【背景技術】
【０００３】
通信システムの進化において、6GHzより低い周波数帯域は、5G新無線(英語:New radio interface、NR)システムおよびロングタームエボリューション(英語:Long Term Evolution、LTE)システムの両方に存在する可能性がある。換言すれば、同じ周波数帯域が、5G NRとLTEに存在する可能性があり、5G NRのパフォーマンスとLTEのパフォーマンスが互いに影響を及ぼすことはできない。周波数帯域利用率の観点からは、LTEが展開されるいくつかの周波数帯域では、サービストラフィックの要件が変化するので、LTEが展開される周波数帯域の利用率が比較的低いことがある。例えば、アップリンク周波数帯域では、アップリンクサービストラフィックが比較的少ないので、LTEの周波数分割複信アップリンク(英語:Frequency Duplexing Division Up-Link、FDD UL)の周波数帯域の利用は比較的低い。これらの周波数帯域の帯域幅の一部、またはこれらの周波数帯域のサブフレームのうちのいくつかを5G NRで使用して、5G NR伝送を搬送することができる。換言すれば、5G NRとLTEとを1つの周波数帯域内に多重化して、同じ周波数帯域リソースを共用することができる。
【０００４】
図1に示すように、f1は、LTE FDDダウンリンク(英語:down-link、DL)搬送波であり、f2は、LTE ULと5G NR ULとによってリソースが共用されるFDDアップリンク搬送波であり、f3は、5G NR専用搬送波である。搬送波f2上では、LTEが優先的に展開され、搬送波f2のフレームおよびサブフレームのタイミングは、LTEのタイミングに従う。この場合には、搬送波f2上のサブフレームのうちのいくつかを5G NRにおいて使用する必要があり、サブフレームのタイミングも、LTEのサブフレームのタイミングに従う必要がある。しかし、搬送波f3については、5G NRにおいて独立したタイミングが存在する。5G NRでは、搬送波f2のタイミングと搬送波f3のタイミングとが異なることがあり、副搬送波間隔、サブフレーム長、および伝送時間間隔(英語:transmission time interval、TTI)長が異なることもある。
【０００５】
しかし、最初のアクセスを5G NRの搬送波f3上で行った5G NRユーザについては、その5G NRユーザが共用搬送波f2上にスケジュールまたは設定されるとき、その5G NRユーザは、共用搬送波f2の時間位置、例えばサブフレーム位置を取得することはできない。さらに、異なるLTE基地局のFDDタイミングは、同期していない。5G NRユーザが移動し、基地局間でハンドオーバが生じるとき、5G NRユーザは、ハンドオーバ中に異なるLTE基地局の共用搬送波f2の時間位置を知ることはできない。
【発明の概要】
【課題を解決するための手段】
【０００６】
本願は、第1の搬送波と第2の搬送波のタイミングが異なるという問題を解決し、それにより周波数帯域リソースの利用率を改善する、通信方法、アクセスネットワークデバイス、および端末を提供するものである。
【０００７】
第1の態様によれば、通信方法が提供され、この方法は、第1のアクセスネットワークデバイスによって、第1の搬送波と第2の搬送波のタイミングオフセットを決定するステップを含んでもよく、ここで、タイミングオフセットは、第1の搬送波のダウンリンク通信のタイミングと第2の搬送波のアップリンク通信のタイミングとの間のずれである。
【０００８】
第2の態様によれば、通信方法が提供され、この方法は、端末によって、第1のアクセスネットワークデバイスから第1の指示情報を受信するステップであり、第1の指示情報は、第1の搬送波と第2の搬送波のタイミングオフセットを示すために使用される、ステップと、端末によって、第1の搬送波のタイミングおよびタイミングオフセットに基づいて、第2の搬送波のタイミングを決定するステップと、を含んでもよく、タイミングオフセットは、第1の搬送波のダウンリンク通信のタイミングと第2の搬送波のアップリンク通信のタイミングとの間のずれである。
【０００９】
なお、上記の態様は、以下の任意選択の実施態様をさらに有する可能性があることに留意されたい。
【００１０】
任意選択で、タイミングオフセットの値は、正であることも、または負であることもある。第1のアクセスネットワークデバイスは、第1の指示情報を端末に送信し、ここで、第1の指示情報は、タイミングオフセットを示すために使用され、タイミングオフセットは、第2の搬送波のタイミングを決定するために使用される。この方法によれば、タイミングオフセットの指示が使用され、それによって端末は第2の搬送波のタイミングを取得し、したがって第2の搬送波上の共用周波数帯域リソースを使用することができ、それによりリソース利用率を改善することができる。
【００１１】
任意選択で、第2の搬送波のタイミングは、アクセスネットワークデバイスが端末から送信されたアップリンク信号を第2の搬送波上で受信するサブフレームの境界でありうる。あるいは、任意選択で、第2の搬送波のタイミングは、アクセスネットワークデバイスが端末から送信されたアップリンク信号を第2の搬送波上で受信するシンボルの境界であることもある。あるいは、任意選択で、第2の搬送波のタイミングは、端末が第2の搬送波上でアップリンク信号を送信する開始位置でありうる。
【００１２】
任意選択で、任意選択の実施態様では、タイミングオフセットは、第1のアクセスネットワークデバイスの第1の搬送波と第1のアクセスネットワークデバイスの第2の搬送波のタイミングオフセットである。
【００１３】
任意選択で、第1の搬送波は、第1の無線アクセス技術RATを用いた搬送波であってもよく、第2の搬送波は、第1のRATおよび第2のRATを用いたアップリンク周波数分割複信FDD搬送波であってもよい。
【００１４】
任意選択で、タイミングオフセットは、第1の搬送波のサブフレームの境界と第2の搬送波のサブフレームの境界との間の時間差である。あるいは、タイミングオフセットは、第1の搬送波のシンボルの境界と第2の搬送波のシンボルの境界との間の時間差である。
【００１５】
任意選択で、タイミングオフセットは、第1の搬送波のサブフレームまたはシンボルの境界と、第2の搬送波のアップリンク信号の開始位置との間の時間差である。
【００１６】
任意選択で、タイミングオフセットは、第1のアクセスネットワークデバイスの第1の搬送波と第1のアクセスネットワークデバイスの第2の搬送波のタイミングオフセットである。したがって、第1のアクセスネットワークデバイスによって、第1の搬送波と第2の搬送波のタイミングオフセットを決定するステップは、第1のアクセスネットワークデバイスによって、第1のアクセスネットワークデバイスの第1の搬送波と第1のアクセスネットワークデバイスの第2の搬送波のタイミングオフセットを決定するステップを含む。
【００１７】
任意選択で、第1のアクセスネットワークデバイスが第1の指示情報を端末に送信することは、第1のアクセスネットワークデバイスが、第1の搬送波上で搬送されるシステムメッセージを使用することによって第1の指示情報を端末に送信することを含む。したがって、端末によって、第1のアクセスネットワークデバイスから第1の指示情報を受信するステップは、端末によって、第1の搬送波上で搬送されるシステムメッセージを使用することによって、第1のアクセスネットワークデバイスから第1の指示情報を受信するステップを含む。
【００１８】
同報通信システムメッセージは、端末に送信され、セル内の全ての端末が第1の指示情報を受信することができることを保証し、すなわち全ての端末が上記のタイミングオフセットを受信することを保証する。さらに、システムメッセージは、通常は周期的に送信される。このこともまた、受信の信頼性を向上させうる。
【００１９】
任意選択の実施態様では、タイミングオフセットは、第2のアクセスネットワークデバイスの第1の搬送波と第2のアクセスネットワークデバイスの第2の搬送波のタイミングオフセットである。したがって、第1のアクセスネットワークデバイスによって、第1の搬送波と第2の搬送波のタイミングオフセットを決定するステップは、第1のアクセスネットワークデバイスによって、第2のアクセスネットワークデバイスから第2の指示情報を受信するステップを含み、ここで、第2の指示情報は、第2のアクセスネットワークデバイスの第1の搬送波と第2のアクセスネットワークデバイスの第2の搬送波のタイミングオフセットを示すために使用される。第1のアクセスネットワークデバイスは、端末によってアクセスされるソースアクセスネットワークであり、第2のアクセスネットワークデバイスは、端末のハンドオーバのためのターゲットアクセスネットワークデバイスであり、第1のアクセスネットワークデバイスは、第2の指示情報に基づいて、第2のアクセスネットワークデバイスの第1の搬送波と第2のアクセスネットワークデバイスの第2の搬送波のタイミングオフセットを決定する。したがって、端末によって、第2の搬送波のタイミングを決定するステップは、端末によって、第2のアクセスネットワークデバイスの第1の搬送波と第2のアクセスネットワークデバイスの第2の搬送波のタイミングオフセット、および第2のアクセスネットワークデバイスの第1の搬送波のタイミングに基づいて、第2のアクセスネットワークデバイスの第2の搬送波のタイミングを決定するステップを含む。
【００２０】
この解決策では、端末が第1のアクセスネットワークデバイスから第2のアクセスネットワークデバイスにハンドオーバされるときに、異なるアクセスネットワークデバイスの第2の搬送波のタイミングが異なるので、第1のアクセスネットワークデバイスは、第1の搬送波と第2の搬送波のタイミングオフセットを端末に再度通知し、それによって端末が第2の搬送波のタイミングを取得するようにする必要がある。
【００２１】
任意選択で、第1のアクセスネットワークデバイスが第1の指示情報を端末に送信することは、第1のアクセスネットワークデバイスが、第1の搬送波上で搬送されるシステムメッセージを使用することによって第1の指示情報を端末に送信すること、または第1のアクセスネットワークデバイスが、第1の搬送波上で搬送される無線リソース制御接続再設定(英語:Radio Resource Control Connection Reconfiguration、RRC Connection Reconfiguration)メッセージを使用することによって第1の指示情報を端末に送信することを含む。したがって、端末によって第1のアクセスネットワークデバイスから第1の指示情報を受信するステップは、端末によって、第1の搬送波上で搬送されるシステムメッセージまたは無線リソース制御接続再設定メッセージを使用することによって、第1のアクセスネットワークデバイスから第1の指示情報を受信するステップを含む。
【００２２】
任意選択で、第1のアクセスネットワークデバイスは、第1の搬送波上で搬送される上位レイヤのシグナリングを使用することによって、第3の指示情報を端末に送信し、ここで、第3の指示情報は、第1のアクセスネットワークデバイスの第2の搬送波の利用可能なリソースを示すために使用され、第1のアクセスネットワークデバイスは、第2の搬送波上で利用可能なリソースを使用することによって、端末から送信される信号を受信する。したがって、端末は、第1の搬送波上で搬送される上位レイヤのシグナリングを使用することによって、第1のアクセスネットワークデバイスから第3の指示情報を受信し、端末は、上記の利用可能なリソースを使用することによって第1のアクセスネットワークデバイスに信号を送信し、ここで、上記の上位レイヤのシグナリングは、システムメッセージ、または無線リソース制御(英語:Radio Resource Control、RRC)シグナリングであり、それによって端末が第2の搬送波の利用可能なリソースを認識することにより、アップリンク通信を実施する。
【００２３】
任意選択で、第1のアクセスネットワークデバイスは、上位レイヤのシグナリングを使用することによって第3の指示情報を端末に送信し、ここで、第3の指示情報は、第2のアクセスネットワークデバイスの第2の搬送波の利用可能なリソースを示すために使用され、第2のネットワークデバイスは、第2の搬送波上で、利用可能なリソースを使用することによって端末から送信される信号を受信する。したがって、端末は、第1の搬送波上で搬送される上位レイヤのシグナリングを使用することによって、第1のアクセスネットワークデバイスから送信される第3の指示情報を受信する。端末は、利用可能なリソースを使用することによって、第2の搬送波上で第2のアクセスネットワークデバイスに信号を送信することにより、アップリンク通信を実施する。
【００２４】
この解決策では、端末が第1のアクセスネットワークデバイスから第2のアクセスネットワークデバイスにハンドオーバされるときに、第1のアクセスネットワークデバイスは、システムメッセージ、またはRRCシグナリング、または無線リソース制御接続再設定メッセージを使用することによって第3の指示情報を端末に送信して、第2のアクセスネットワークデバイスの第2の搬送波の利用可能なリソースを示し、それによりアップリンク通信を実施する。
【００２５】
任意選択で、第1のアクセスネットワークデバイスは、第1の搬送波上で搬送される物理レイヤシグナリングを使用することによって第3の指示情報を前記端末に送信し、ここで、第3の指示情報は、遅延情報を含み、遅延情報は、第2の搬送波の利用可能なスロットの量を示すために使用されるか、または遅延情報は、第1の搬送波の利用可能なスロットの量を示すために使用される。したがって、端末は、第1の搬送波上で搬送される物理レイヤシグナリングを使用することによって、第1のアクセスネットワークデバイスから第3の指示情報を受信する。
【００２６】
任意選択で、遅延情報は、第2の搬送波の利用可能なスロットの量を示すために使用され、端末は、第2の搬送波のタイミングに基づいて第2の搬送波のスロットを取得し、ここで、第2の搬送波のスロットは、第3の指示情報が受信されるスロットに対応する、第2の搬送波上のスロットである。端末は、第2の搬送波のスロット、および遅延情報に基づいて、第2の搬送波の利用可能なリソースを取得する。端末は、第2の搬送波の利用可能なリソースを使用することによって、第1のアクセスネットワークデバイスに信号を送信する。
【００２７】
任意選択で、遅延情報は、第1の搬送波の利用可能なスロットの量を示すために使用され、端末は、第3の情報が受信されたスロット、および遅延情報に基づいて、第1の搬送波の利用可能なスロットを取得する。端末は、第2の搬送波のタイミングに基づいて、第1の搬送波の利用可能なスロットに対応する、第2の搬送波の利用可能なリソースを取得する。端末は、第2の搬送波の利用可能なリソースを使用することによって、第1のアクセスネットワークデバイスと通信する。
【００２８】
任意選択で、第1のアクセスネットワークデバイスは、第1の搬送波上で搬送される上位レイヤのシグナリングを使用することによって、第4の指示情報を前記端末に送信する。したがって、端末は、第1の搬送波上で搬送される上位レイヤのシグナリングを使用することによって、第1のアクセスネットワークデバイスから第4の指示情報を受信し、ここで、第4の指示情報は、第2の搬送波のリソース構成情報を示すために使用され、第2の搬送波のリソース構成情報によって示されるリソースは、端末の利用不可能なリソースである。
【００２９】
任意選択で、上位レイヤのシグナリングは、システムメッセージ、またはRRCシグナリングでありうる。
【００３０】
任意選択で、第1の搬送波上で搬送される上位レイヤのシグナリングの第3の指示情報および第4の指示情報は、1つのメッセージに含まれて搬送されうる。
【００３１】
任意選択で、端末によって、第2の搬送波のタイミングを決定するステップは、
端末によって、第1の搬送波のサブフレームの境界およびタイミングオフセットに基づいて第2の搬送波のサブフレームの境界を決定するステップ、または端末によって、第1の搬送波のシンボルの境界およびタイミングオフセットに基づいて第2の搬送波のシンボルの境界を決定するステップを含む。
【００３２】
任意選択で、端末によって第2の搬送波のタイミングを決定するステップは、端末によって、タイミングオフセット、および第1の搬送波のサブフレームの境界またはシンボルの境界に基づいて、第2の搬送波上でアップリンク信号が送信される開始位置を決定するステップを含み、ここで、アップリンク信号は、物理ランダムアクセスチャネル(英語:Physical Random Access Channel、PRACH)信号、または物理アップリンク共用チャネル(英語:Physical Uplink Shared Channel、PUSCH)、または他のアップリンク信号である可能性がある。
【００３３】
第1の搬送波のサブフレームの境界は、アクセスネットワークデバイスが第1の搬送波上でダウンリンク通信を行うサブフレームの境界であってもよく、第1の搬送波のシンボルの境界は、アクセスネットワークデバイスが第1の搬送波上でダウンリンク通信を行うシンボルの境界であってもよく、
第2の搬送波のサブフレームの境界は、アクセスネットワークデバイスが第2の搬送波上でアップリンク信号を端末から受信するサブフレームの境界であってもよく、第2の搬送波のシンボルの境界は、アクセスネットワークデバイスが第2の搬送波上でアップリンク信号を端末から受信するシンボルの境界であってもよく。
【００３４】
第3の態様によれば、アクセスネットワークデバイスが提供され、ここでアクセスネットワークデバイスは第1のアクセスネットワークデバイスであり、アクセスネットワークデバイスは、上記の方法における実際のアクセスネットワークデバイスの挙動を実施する機能を有する。機能は、ハードウェアで実施されても、または対応するソフトウェアを実行するハードウェアによって実施されてもよく、ハードウェアまたはソフトウェアは、上記の機能に対応する1つまたは複数のモジュールを含む。
【００３５】
第4の態様によれば、端末が提供され、ここで端末は、上記の方法における実際の端末の挙動を実施する機能を有する。この機能は、ハードウェアで実施されることも、または対応するソフトウェアを実行するハードウェアによって実施されることもあり、このハードウェアまたはソフトウェアは、上記の機能に対応する1つまたは複数のモジュールを含む。
【００３６】
第5の態様によれば、他のアクセスネットワークデバイスが提供され、ここでアクセスネットワークデバイスは第1のアクセスネットワークデバイスであり、アクセスネットワークデバイスは、プロセッサと送信器とを含みうる。プロセッサは、第1の搬送波と第2の搬送波のタイミングオフセットを決定するよう構成され、ここで、タイミングオフセットは、第1の搬送波のダウンリンク通信のタイミングと第2の搬送波のアップリンク通信のタイミングとの間のずれであり、タイミングオフセットの値は、正であることもまたは負であることもある。送信器は、第1の指示情報を端末に送信するよう構成され、ここで、第1の指示情報は、上記のタイミングオフセットを示すために使用され、タイミングオフセットは、第2の搬送波のタイミングを決定するために使用される。
【００３７】
第6の態様によれば、コンピュータ記憶媒体が提供され、ここでコンピュータ記憶媒体は、上記のアクセスネットワークデバイスによって使用されるコンピュータソフトウェア命令を格納するよう構成され、コンピュータソフトウェア命令は、上記の態様を実行するように設計されたプログラムを含む。
【００３８】
第7の態様によれば、他の端末が提供され、ここで端末は、受信器とプロセッサとを含みうる。受信器は、第1のアクセスネットワークデバイスから第1の指示情報を受信するよう構成され、ここで、第1の指示情報は、第1の搬送波と第2の搬送波のタイミングオフセットを示すために使用され、タイミングオフセットは、第1の搬送波のダウンリンク通信のタイミングと第2の搬送波のアップリンク通信のタイミングとの間のずれである。タイミングオフセットの値は、正であることもまたは負であることもある。プロセッサは、タイミングオフセットに基づいて第2の搬送波のタイミングを決定するよう構成される。
【００３９】
第8の態様によれば、他のコンピュータ記憶媒体が提供され、ここでコンピュータ記憶媒体は、上記の端末によって使用されるコンピュータソフトウェア命令を格納するよう構成され、コンピュータソフトウェア命令は、上記の態様を実行するように設計されたプログラムを含む。
【００４０】
本発明の実施形態における技術的解決策についてさらに明確に説明するために、以下、実施形態を説明するために必要な添付の図面について簡単に述べる。
【図面の簡単な説明】
【００４１】
【図１】本発明の実施形態による、第1の搬送波と第2の搬送波がアップリンク周波数帯域のリソースを共用するシナリオを示す概略図である。
【図２】本発明の実施形態による通信方法を示す信号図である。
【図３】本発明の実施形態による、同じフレーム長を有する第1の搬送波と第2の搬送波のタイミングオフセットを示す概略図である。
【図４】本発明の実施形態による、異なるフレーム長を有する第1の搬送波と第2の搬送波のタイミングオフセットを示す概略図である。
【図５】本発明の実施形態による、同じフレーム長を有する第1の搬送波と第2の搬送波のタイミングオフセットを示す他の概略図である。
【図６】本発明の実施形態によるアクセスネットワークデバイスを示す概略構造図である。
【図７】本発明の実施形態による端末を示す概略構造図である。
【図８】本発明の実施形態による他のアクセスネットワークデバイスを示す概略構造図である。
【図９】本発明の実施形態による他の端末を示す概略構造図である。
【発明を実施するための形態】
【００４２】
以下、本発明の技術的解決策について、添付の図面および実施形態を参照してさらに詳細に説明する。
【００４３】
本願は、LTEと5G NR、LTEと3G、および3Gと5G NRなど、異なった無線アクセス技術(英語:radio access technology、RAT)の2つの通信システムの間での周波数帯域リソースの共用に適用することができる。図1は、本発明の実施形態による第1の搬送波および第2の搬送波のシナリオを示す概略図である。以下、第1の搬送波が5G NR専用搬送波であり、第2の搬送波が5G NRとLTEで共用されるアップリンク搬送波である例を用いて説明する。
【００４４】
5G NRシステムは、6GHzより低い搬送波周波数をサポートすることができるだけでなく、30GHzなど、6GHzより高い搬送波周波数をサポートすることもでき、また、5G NRシステムは、シングルキャリアモードをサポートすることができるだけでなく、キャリアアグリゲーションモードをサポートすることもできる。LTEシステムは、対の(paired)FDDスペクトルおよび不対の(unpaired)TDDスペクトルなど、6GHzより低い搬送波周波数、ならびに同じ複信モードまたは異なる複信モードにおける搬送波のキャリアアグリゲーションをサポートする。LTEが展開される搬送波は、アップリンク搬送波など、比較的低い周波数帯域幅利用率を有する可能性がある。6GHzより低い搬送波では、周波数帯域利用を改善するよう、5G NRとLTEとは、同じ周波数帯域リソースを共用するために搬送波上で多重化されうる。
【００４５】
図1に示すように、座標図の横軸は時間を表し、縦軸は周波数を表す。5G NR専用搬送波が、第1の搬送波であり、5G NRとLTEとは、LTEのアップリンクFDD搬送波を共用し、5G NRとLTEとによって共用される搬送波が、第2の搬送波である。5G NR専用搬送波は、ダウンリンク信号のみを伝送するために使用されてもよく、または、5G NR専用搬送波は、5G NRガード期間GPをさらに含んでもよく、5G NRサウンディング参照信号(英語:Sounding Reference Signal、SRS)を伝送するためにさらに使用されてもよい。FDD搬送波は、LTE搬送波の例として使用され、FDD周波数帯域は、ダウンリンク搬送波およびアップリンク搬送波を含む。LTE搬送波のサブフレーム長は1msであり、5G NRアップリンク信号は、アップリンク搬送波のいくつかのサブフレームにおいて搬送されうる。換言すれば、アップリンク搬送波は、LTEと5G NRとによって共用される搬送波である。アップリンク搬送波は、LTE搬送波の物理アップリンク共用チャネル(英語:Physical Uplink Shared Channel、PUSCH)についての情報、LTE搬送波の物理アップリンク制御チャネル(英語:Physical Uplink Control Channel、PUCCH)、およびLTE搬送波のSRSについての情報を含みうる。PUCCHおよびSRSについての情報は、周期的な構成情報である。5G NRがLTEと搬送波を共用するときには、LTEが干渉を受けることを防止するために、共用プロセス中にLTEのPUCCHおよびSRSとの衝突を回避する必要がある。換言すれば、5G NRアップリンク信号は、LTE搬送波のPUCCHおよびSRSのリソースを回避する必要がある。
【００４６】
5G NRは、アップリンク搬送波においてLTEと共存する。換言すれば、5G NRは、LTEアップリンク搬送波を共用する。5G NR信号は、LTEアップリンク搬送波の遊休サブフレームまたは遊休リソースブロック上で伝送されうる。この場合、共用アップリンク搬送波のタイミングは、アップリンク搬送波におけるLTEのタイミングに従う。5G NR専用搬送波のタイミングは、共用アップリンク搬送波のものと異なることがあり、副搬送波間隔、サブフレーム長、およびTTI長が全て異なることもある。その結果として、共用アップリンク搬送波における5G NRのタイミングと、専用搬送波におけるものとの間にオフセットがある場合がある。したがって、本願では、アクセスネットワークデバイスは、2つの搬送波のタイミングオフセットを5G NR端末に通知して、5G NR端末にサブフレーム位置またはシンボル位置などの共用アップリンク搬送波の時間位置を得させ、それによって5G NR端末が共用アップリンク搬送波上でアクセスネットワークデバイスとアップリンク通信を行うことができるようにする。
【００４７】
本願における端末は、ワイヤレス通信機能を有する、様々なハンドヘルド型デバイス、車載デバイス、ウェアラブルデバイス(英語:wearable device)、およびコンピューティングデバイス、ワイヤレスモデムに接続された他の処理デバイス、ならびに様々な形態のユーザ機器(英語:user equipment、UE)などを含みうる。
【００４８】
本願におけるアクセスネットワークデバイスは、ベーストランシーバ基地局(英語:Base Transceiver Station、略してBTS)などのGSM（登録商標）もしくはCDMAにおける基地局であっても、NodeBなどのWCDMA（登録商標）における基地局であっても、eNBもしくはeNodeB(evolved NodeB)などのLTEにおける進化型NodeBであっても、gNBなどの5Gシステムにおける基地局であっても、その他の将来のネットワークの基地局であってもよく、このことは本発明のこの実施形態に限定されない。説明を容易にするために、本願における前述のアクセスネットワークデバイスを、総称的に基地局と呼ぶことがある。
【００４９】
図2は、本発明の実施形態による通信方法を示す信号図である。図2に示すように、この方法は、以下のステップを含む可能性がある。
【００５０】
第1の搬送波は、5G NR専用搬送波であってもよく、第2の搬送波は、5G NRとLTEで共用されるLTEアップリンク周波数分割複信FDD搬送波であってもよい。
【００５１】
ステップ210:第1の基地局は、第1の搬送波を使用することによって、第1の指示情報を5G NR端末に送信する。
【００５２】
第1の基地局は、第1の基地局の第1の搬送波と第1の基地局の第2の搬送波の第1のタイミングオフセットToffsetを決定する。ここで、タイミングオフセットは、第1の搬送波のダウンリンク通信のタイミングと第2の搬送波のアップリンク通信のタイミングとの間のずれである。第1の基地局は、第1の搬送波を使用することによって、第1のメッセージを5G NR端末に送信する。ここで、第1のメッセージは、第1の指示情報を含み、第1の指示情報は、第1の搬送波と第2の搬送波の第1のタイミングオフセットを示すために使用される。
【００５３】
タイミングオフセットは、第1の搬送波のサブフレームの境界と第2の搬送波のサブフレームの境界との間の時間差でありうる。あるいは、タイミングオフセットは、第1の搬送波のスロットの境界と第2の搬送波のスロットの境界との間の時間差でありうる。あるいは、タイミングオフセットは、第1の搬送波のシンボルの境界と第2の搬送波のシンボルの境界との間の時間差でありうる。
【００５４】
任意選択で、タイミングオフセットは、第1の搬送波のサブフレームまたはシンボルの境界と、物理ランダムアクセスチャネル(英語:Physical Random Access Channel、PRACH)または他のアップリンク信号が第2の搬送波上で送信される開始位置との間の時間差を示す。
【００５５】
なお、タイミングオフセットの値は、正であっても、または負であってもよいことに留意されたい。
【００５６】
第1の搬送波のサブフレームの境界は、第1の基地局によって第1の搬送波上で行われるダウンリンク通信のサブフレームの境界でありうる。第1の搬送波のシンボルの境界は、第1の基地局によって第1の搬送波上で行われるダウンリンク通信のシンボルの境界でありうる。第1の搬送波のスロットの境界は、第1の基地局によって第1の搬送波上で行われるダウンリンク通信のスロットの境界でありうる。
【００５７】
第2の搬送波のサブフレームの境界は、端末からのアップリンク信号を第2の搬送波上で受信する第1の基地局のサブフレームの境界でありうる。第2の搬送波のシンボルの境界は、端末からのアップリンク信号を第2の搬送波上で受信する第1の基地局のシンボルの境界でありうる。第2の搬送波のスロットの境界は、端末からのアップリンク信号を第2の搬送波上で受信する第1の基地局のスロットの境界でありうる。
【００５８】
第1のメッセージは、端末が第1の指示情報を受信することを保証するため、システムメッセージでありうる。第1の搬送波と第2の搬送波のタイミングオフセットは、第1の基地局に接続されている全ての端末について同じであり、アクセスされる全ての端末に同報通信的に通知するために使用されるシステムメッセージが最も効果的である。
【００５９】
あるいは、第1のメッセージは、無線リソース制御(英語:Radio Resource Control、RRC)シグナリングメッセージでありうる。
【００６０】
任意選択で、5G NR端末が移動し、ハンドオーバが生じたとき、すなわち5G NR端末が異なるセルにアクセスするとき、異なるLTE基地局ではFDD搬送波のタイミングが異なるので、第1の搬送波と第2の搬送波のタイミングオフセットが変化することがあり、第1の基地局は、端末のハンドオーバのためターゲット基地局の2つの搬送波のタイミングオフセットを5G NR端末に通知する必要がある。換言すれば、ステップ210を実行する前に、第1の基地局は、第2の基地局から第2の指示情報を受信する必要がある。ここで、第2の指示情報は、第2の基地局の第1の搬送波と第2の基地局の第2の搬送波のタイミングオフセットを示すために使用される。第1の基地局は、5G NR端末によってアクセスされるソース基地局であり、第2の基地局は、5G NR端末のハンドオーバのためのターゲット基地局である。
【００６１】
第1の基地局は、第2の指示情報に基づいて、第2の基地局の第1の搬送波と第2の基地局の第2の搬送波の第2のタイミングオフセットを決定する。
【００６２】
任意選択で、第1の搬送波のサブフレームの境界は、第2の基地局によって第1の搬送波上で行われるダウンリンク通信のサブフレームの境界でありうる。第1の搬送波のシンボルの境界は、第2の基地局によって第1の搬送波上で行われるダウンリンク通信のシンボルの境界でありうる。第1の搬送波のスロットの境界は、第2の基地局によって第1の搬送波上で行われるダウンリンク通信のスロットの境界でありうる。
【００６３】
任意選択で、第2の搬送波のサブフレームの境界は、端末からのアップリンク信号を第2の搬送波上で受信する第2の基地局のサブフレームの境界でありうる。第2の搬送波のシンボルの境界は、端末からのアップリンク信号を第2の搬送波上で受信する第2の基地局のシンボルの境界でありうる。第2の搬送波のスロットの境界は、端末からのアップリンク信号を第2の搬送波上で受信する第2の基地局のスロットの境界でありうる。
【００６４】
次いで、第1の基地局は、第1の搬送波を使用することによって5G NR端末に第2のメッセージを送信する。ここで、第2のメッセージは、第1の指示情報を含んでもよく、第2のメッセージは、システムメッセージであってもよく、またはRRC接続再設定(英語:RRC connection reconfiguration)メッセージであってもよい。
【００６５】
なお、第1のタイミングオフセットと第2のタイミングオフセットは異なりうることに留意されたい。
【００６６】
ステップ220:5G NR端末は、第1の指示情報を受信し、タイミングオフセットを取得し、第2の搬送波のタイミングを決定する。
【００６７】
タイミングオフセットは、第1のタイミングオフセット、または第2のタイミングオフセットでありうる。
【００６８】
タイミングオフセットは、第1の搬送波のサブフレームの境界と第2の搬送波のサブフレームの境界との間の時間差を示しうる。あるいは、タイミングオフセットは、第1の搬送波のスロットの境界と第2の搬送波のスロットの境界との間の時間差を示しうる。あるいは、タイミングオフセットは、第1の搬送波のシンボルの境界と第2の搬送波のシンボルの境界との間の時間差を示しうる。
【００６９】
任意選択で、タイミングオフセットは、第1の搬送波のサブフレームまたはシンボルの境界と、物理ランダムアクセスチャネル(英語:Physical Random Access Channel、PRACH)または他のアップリンク信号が第2の搬送波で送信される開始位置との間の時間差を示す。
【００７０】
5G NR端末は、タイミングオフセットに基づいて、第2の搬送波のタイミングを決定する。
【００７１】
任意選択で、第2の搬送波のタイミングを決定することは、第2の搬送波のサブフレームまたはシンボルの境界を決定すること、あるいは第2の搬送波のPRACHもしくはPUSCH信号または他のアップリンク信号が送信される開始位置を決定することである。
【００７２】
一例では、搬送波f1は、LTEダウンリンク搬送波であり、搬送波f2は、LTEと5G NRによって共用される搬送波、すなわち第2の搬送波である。搬送波f3は、5G NR専用搬送波、すなわち第1の搬送波である。図3に示すように、搬送波f2と搬送波f3が同じサブフレーム長を有するとき、タイミングオフセットは、搬送波f3上のサブフレーム0の開始境界と、対応する搬送波f2上のサブフレーム0の開始境界との間の時間差でありうる。あるいは、タイミングオフセットは、搬送波f3上のサブフレーム0の終了境界と、対応する搬送波f2上のサブフレーム0の終了境界との間の時間差でありうる。あるいは、タイミングオフセットは、搬送波f3上のサブフレーム0の第1のシンボルの開始境界と、対応する搬送波f2上のサブフレーム0の第1のシンボルの開始境界との間の時間差でありうる。図4に示すように、LTE搬送波と5G NR専用搬送波が異なるサブフレーム長を有するとき、タイミングオフセットは、搬送波f3上のサブフレーム0の開始境界と、対応する搬送波f2上のサブフレーム0の開始境界との間の時間差である。あるいは、タイミングオフセットは、搬送波f3上のサブフレーム0の終了境界と、対応する搬送波f2上のサブフレーム0の終了境界との間の時間差である。あるいは、タイミングオフセットは、搬送波f3上のサブフレーム0の第1のシンボルの開始境界と、対応する搬送波f2上のサブフレーム0の第1のシンボルの開始境界との間の時間差である。なお、本発明のこの実施形態は、タイミングオフセットを決定するために使用されるサブフレーム番号を限定するものではなく、タイミングオフセットを決定するために使用されるサブフレーム番号は、サブフレーム0であってもよく、または他のサブフレームであってもよいことに留意されたい。これは、本発明のこの実施形態に限定されない。
【００７３】
一例では、搬送波f1は、LTEダウンリンク搬送波であり、搬送波f2は、LTEと5G NRによって共用される搬送波、すなわち第2の搬送波である。搬送波f3は、5G NR専用搬送波、すなわち第1の搬送波である。図5に示すように、タイミングオフセットは、搬送波f3上のサブフレーム0の開始境界または第1のシンボルの開始境界と、対応する搬送波f2上のサブフレーム0上でアップリンクPRACH信号または他のアップリンク信号が送信される開始時間との間の時間差である。なお、本発明のこの実施形態は、タイミングオフセットを決定するために使用されるサブフレーム番号を限定するものではなく、タイミングオフセットを決定するために使用されるサブフレーム番号は、サブフレーム0であってもよく、または他のサブフレームであってもよいことに留意されたい。これは、本発明のこの実施形態に限定されない。
【００７４】
ステップ230:第1の基地局は、第1の搬送波上で搬送されるシグナリングを使用することによって、端末に第3のメッセージを送信する。
【００７５】
第3のメッセージは、利用可能なサブフレーム(またはスロット)など、第2の搬送波の利用可能なリソースを示すため、第3の指示情報を含むことがある。
【００７６】
第1の基地局は、システムメッセージまたはRRCシグナリングなど、第1の搬送波上で搬送されるより上位レイヤのシグナリングを使用することによって、第3の指示情報を端末に送信することができる。ここで、第3の指示情報は、共用LTE搬送波の利用可能なリソースを示すために使用される。
【００７７】
任意選択で、端末が第1の基地局から第2の基地局にハンドオーバされるときに、第1の基地局は、第1の搬送波上で搬送されるシステムメッセージまたはRRC接続再設定メッセージを使用することによって、第3の指示情報を端末に送信しうる。ここで、第3の指示情報は、第2の基地局の第2の搬送波の利用可能なリソースを示すために使用される。
【００７８】
第2の搬送波上の5G NRの利用可能なリソースを示す方法は、以下の通りである。
【００７９】
第2の搬送波上の5G NRのリソースが、ある時間期間の間隔に1回設定されるとき(準静的な設定)、第3の指示情報は、第2の搬送波上の5G NRの利用可能なサブフレーム(またはスロット)番号のセットを示すために使用される。
【００８０】
5G NR端末は、第2の搬送波上の利用可能なサブフレーム(またはスロット)番号のセットに基づいて、第2の搬送波の利用可能なサブフレーム上で第1の基地局と通信する。
【００８１】
任意選択で、第1の基地局は、第1の搬送波上で搬送される物理レイヤシグナリング(例えばダウンリンク制御情報(英語:downlink control information、DCI)メッセージ)を使用することによって、第3の指示情報を5G NR端末に送信しうる。第3の指示情報は、第2の搬送波上で5G NR端末がスケジュールされていること、ならびにスケジュールされた利用可能なサブフレーム(またはスロット)の番号、物理リソースブロック(英語:physical resource block、PRB)、および利用可能なシンボル(ビットマップ(英語:bitmap)の形態、または利用可能なシンボルの量、または利用可能なシンボルのシンボル点および終端シンボル)などを示すために使用される。第3の指示情報は、遅延情報を含むこともある。遅延情報は、第2の搬送波の利用可能なスロットの量を示すために使用されるか、または第1の搬送波の利用可能なスロットの量を示すために使用され、それによって、5G NR端末が第2の搬送波の利用可能なリソースを取得した後でアップリンク通信が実施される。
【００８２】
5G NRの2つの利用可能な搬送波の搬送波周波数は大きく異なることもあるので、副搬送波間隔、TTI長、およびサブフレーム長が異なることもある。換言すれば、2つの搬送波上の5G NRのサブフレームの番号が異なる。
【００８３】
これに基づき、共用LTE搬送波上の5G NRの利用可能なサブフレームを指摘する必要がある。
【００８４】
第2の搬送波上では、5G NRについては、5G NR通信システムのサブフレーム構造に従って番号付けを行い、LTEについては、LTE通信システムのサブフレーム構造に基づいて番号付けを行う。5G NRおよびLTEに対応する番号は、異なりうる。第1の基地局は、LTEの遊休サブフレームを取得してもよく、これが、5G NRの利用可能なサブフレームのサブフレーム番号に変換される。
【００８５】
任意選択で、5G NR端末によって、第3の指示情報に基づいて共用LTE搬送波の利用可能なリソースを取得する方法は、方法1および方法2を含みうる。
【００８６】
方法1では、5G NR端末は、第2の搬送波のタイミングに基づいて、第1の搬送波を使用することによって第3の指示情報が送信されるサブフレームに対応する第2の搬送波のサブフレームを取得することができる。
【００８７】
端末は、遅延情報と、第1の搬送波を使用することによって第3の指示情報が送信されるサブフレームに対応する第2の搬送波のサブフレームとに基づいて、第2の搬送波の利用可能なサブフレームを取得し、第2の搬送波の利用可能なサブフレームを使用することによって、第1の基地局とのアップリンク通信を行う。
【００８８】
一例では、第1の基地局はAPであり、図3に示すように、搬送波f3は第1の搬送波であり、搬送波f2は第2の搬送波である。5G NR端末は、搬送波f3のサブフレームn上でAPから送信されるDCIメッセージを受信し、搬送波f2のタイミングに基づいて、搬送波f3のサブフレームnに対応する搬送波f2のサブフレームn1を取得する。DCIメッセージは、アップリンク・スケジューリング・グラント情報を含み、アップリンク・スケジューリング・グラント情報で搬送される送信遅延をkとすると、搬送波f2上の5G NR端末の利用可能なサブフレームは、サブフレーム(n1+k)である。
【００８９】
方法2では、5G NR端末が第1の搬送波を使用することによってAPによって送信された第3の指示情報を受信した後で、5G NR端末は、遅延情報と、第1の搬送波を使用することによって第3の指示情報が送信されるサブフレームとに基づいて、第1の搬送波の利用可能なサブフレームを取得しうる。
【００９０】
5G NR端末は、第2の搬送波のタイミングに基づいて、第1の搬送波の利用可能なサブフレームに対応する第2の搬送波の利用可能なサブフレームを取得し、共用LTE搬送波の利用可能なサブフレームを使用することによって、5G NR端末と通信する。
【００９１】
一例では、図4に示すように、第1の基地局はAPであり、搬送波f3は第1の搬送波であり、搬送波f2は第2の搬送波である。端末は、搬送波f3のサブフレームn上でAPによって送信されたDCIメッセージを受信し、DCIメッセージは、アップリンク・スケジューリング・グラント情報を含む。アップリンク・スケジューリング・グラント情報で搬送される送信遅延がkである場合には、端末は、送信遅延kと、DCIメッセージが送信されるサブフレームnとに基づいて、搬送波f3の利用可能なサブフレーム(n+k)を取得し、搬送波f2のタイミングに基づいて、搬送波f3の利用可能なサブフレーム(n+k)に対応する搬送波f2のサブフレームmを取得する。
【００９２】
LTE伝送に影響を及ぼすことなく、5G NRは、LTEと共用される周波数帯域内にあるように準静的または動的に設定されうると理解することができる。
【００９３】
任意選択で、PUCCHおよびSRSなど、LTEの周期的リソース構成情報が、第2の搬送波の利用可能なサブフレーム内に存在してもよい。したがって、5G NR端末については、LTEのPUCCHおよびSRSによって占められる必要があるリソースは、利用不可能である。
【００９４】
したがって、第1の基地局は、第4の指示情報を5G NR端末に送信してもよく、ここで、第4の指示情報は、例えばLTEのPUCCHおよびSRSのリソースなど周期的なリソース使用位置など、第2の搬送波のリソース構成情報を示すために使用され、それによって、端末は第2の搬送波上の利用不可能なリソースを取得し、すなわち5G NR端末が利用可能なサブフレーム上の利用不可能なリソースを回避して、第1の基地局と通信する。第4の指示情報は、システムメッセージまたはRRCシグナリングメッセージを使用することによって5G NR端末に通知されうる。
【００９５】
なお、第4の指示情報および第3の指示情報は、同じ上位レイヤのシグナリングメッセージの中で送信されてもよく、または異なる上位レイヤのシグナリングメッセージの中で送信されてもよい。第4の指示情報を5G NR端末に送信する前に、第1の基地局は、LTEのPUCCHおよびSRSのサブフレーム構造、ならびに番号付けのリソース使用位置を、5G NRをサポートするサブフレーム構造および番号付けのリソース使用位置に変換する必要がある。
【００９６】
本発明のこの実施形態で提供される通信方法によれば、第1の基地局は、第1の搬送波(例えば5G NR専用搬送波)と第2の搬送波(LTEと共用される搬送波)のタイミングオフセットを決定し、タイミングオフセットを示すために第1の指示情報を端末に送信し、それによって、端末は第2の搬送波のタイミングを決定する。この方法では、タイミングオフセットの指示が使用され、それによって端末が共用周波数帯域の時間位置を取得し、共用搬送波リソースが使用されることができ、それによりリソース利用率を改善する。
【００９７】
上記の方法に対応して、本発明の実施形態は、アクセスネットワークデバイスをさらに提供する。ここで、アクセスネットワークデバイスは、上記の方法における第1のアクセスネットワークデバイスである。図6に示すように、アクセスネットワークデバイスは、処理ユニット610と、送信ユニット620とを含みうる。
【００９８】
処理ユニット610は、第1の搬送波と第2の搬送波のタイミングオフセットを決定するよう構成される。ここで、タイミングオフセットは、第1の搬送波のダウンリンク通信のタイミングと、第2の搬送波のアップリンク通信のタイミングとの間のずれである。送信ユニット620は、第1の指示情報を端末に送信するよう構成される。ここで、第1の指示情報は、タイミングオフセットを示すために使用され、タイミングオフセットは、第2の搬送波のタイミングを決定するために使用される。
【００９９】
任意選択で、第1の搬送波は、5G NR専用搬送波など、第1の無線アクセス技術RATを用いた搬送波であり、第2の搬送波は、共用される搬送波など、第1のRATおよび第2のRATを用いたアップリンクFDD搬送波である。
【０１００】
任意選択で、処理ユニット610は、アクセスネットワークデバイスの第1の搬送波と第1のアクセスネットワークデバイスの第2の搬送波のタイミングオフセットを決定するように特に構成される。
【０１０１】
任意選択で、送信ユニット620は、第1の搬送波上で搬送されるシステムメッセージを使用することによって第1の指示情報を端末に送信するように特に構成される。
【０１０２】
任意選択で、アクセスネットワークデバイスは、受信ユニット630をさらに含む。
【０１０３】
受信ユニット630は、第2のアクセスネットワークデバイス(上記のアクセスネットワーク以外の他のアクセスネットワークデバイス)によって送信される第2のタイミングオフセットなどの第2の指示情報を受信するよう構成される。第2の指示情報は、第2のアクセスネットワークデバイスの第1の搬送波と第2のアクセスネットワークデバイスの第2の搬送波のタイミングオフセットを示すために使用される。アクセスネットワークデバイスは、端末によってアクセスされるソースアクセスネットワークデバイスであり、第2のアクセスネットワークデバイスは、端末のハンドオーバのためのターゲットアクセスネットワークデバイスである。
【０１０４】
任意選択で、処理ユニット610は、さらに、第3の指示情報に基づいて、第2のアクセスネットワークデバイスの第1の搬送波と第2のアクセスネットワークデバイスの第2の搬送波のタイミングオフセットを決定するように特に構成される。
【０１０５】
任意選択で、送信ユニット620は、さらに、第1の搬送波上で搬送されるシステムメッセージまたは無線リソース制御接続再設定メッセージを使用することによって、第2のタイミングオフセットを示す指示情報などの第1の指示情報を端末に送信するように特に構成される。
【０１０６】
任意選択で、アクセスネットワークデバイスは、受信ユニット630をさらに含む。送信ユニット620は、第1の搬送波上で搬送される上位レイヤのシグナリングを使用することによって第3の指示情報を端末に送信するようさらに構成され、ここで、第3の指示情報は、第2の搬送波の利用可能なリソースを示すために使用される。受信ユニット630は、利用可能なリソースを使用することによって端末によって送信された信号を第2の搬送波上で受信するよう構成される。
【０１０７】
任意選択で、送信ユニット620は、第1の搬送波上で搬送される物理レイヤシグナリングを使用することによって第3の指示情報を端末に送信するようさらに構成され、ここで、第3の指示情報は、遅延情報を含み、遅延情報は、第2の搬送波の利用可能なスロットの量、または第1の搬送波の利用可能なスロットの量を示すために使用される。
【０１０８】
任意選択で、送信ユニット620は、第4の指示情報を端末に送信するようさらに構成され、ここで、第4の指示情報は、第2の搬送波のリソース構成情報を示すために使用され、第2の搬送波のリソース構成情報によって示されるリソースは、端末の利用不可能なリソースである。
【０１０９】
アクセスネットワークデバイスの機能ユニットの機能は、上述の実施形態のステップを使用することによって実施することができる。したがって、本発明のこの実施形態で提供されるアクセスネットワークデバイスの具体的な動作プロセスについて、本明細書で繰り返し述べることはしない。
【０１１０】
上記の方法に対応して、本発明の実施形態では、図7に示すように端末が提供される。端末は、受信ユニット710と、処理ユニット720とを含みうる。
【０１１１】
受信ユニット710は、第1のアクセスネットワークデバイスから第1の指示情報を受信するよう構成され、ここで、第1の指示情報は、第1の搬送波と第2の搬送波のタイミングオフセットを示すために使用され、タイミングオフセットは、第1の搬送波のダウンリンク通信のタイミングと第2の搬送波のアップリンク通信のタイミングとの間のずれである。
【０１１２】
処理ユニット720は、第1の搬送波のタイミングおよびタイミングオフセットに基づいて、第2の搬送波のタイミングを決定するよう構成される。
【０１１３】
任意選択で、第1の搬送波は、第1の無線アクセス技術RATを用いた搬送波であり、第2の搬送波は、第1のRATおよび第2のRATを用いたアップリンクFDD搬送波である。
【０１１４】
任意選択で、タイミングオフセットは、第1のアクセスネットワークデバイスの第1の搬送波と第1のアクセスネットワークデバイスの第2の搬送波のタイミングオフセットである。
【０１１５】
任意選択で、受信ユニット710は、第1の搬送波上で搬送されるシステムメッセージを使用することによって、第1のアクセスネットワークデバイスから第1の指示情報を受信するように特に構成される。
【０１１６】
任意選択で、第1の指示情報が、第1のアクセスネットワークデバイスの第1の搬送波と第2の搬送波との間のタイミングオフセットを示すために使用されるとき、処理ユニット720は、第1のアクセスネットワークデバイスの第1の搬送波と第2の搬送波との間のタイミングオフセットに基づいて第1のアクセスネットワークデバイスの第2の搬送波のタイミングを決定するよう構成される。
【０１１７】
任意選択で、タイミングオフセットは、第2のアクセスネットワークデバイスの第1の搬送波と第2のアクセスネットワークデバイスの第2の搬送波のタイミングオフセットであり、ここで、第2のアクセスネットワークデバイスは、端末のハンドオーバのためのターゲットアクセスネットワークデバイスである。
【０１１８】
処理ユニット720は、第2のアクセスネットワークデバイスの第1の搬送波と第2のアクセスネットワークデバイスの第2の搬送波のタイミングオフセット、および第2のアクセスネットワークデバイスの第1の搬送波のタイミングに基づいて、第2のアクセスネットワークデバイスの第2の搬送波のタイミングを決定するよう構成される。
【０１１９】
任意選択で、端末は、送信ユニット730をさらに含む。受信ユニット710は、第1の搬送波上で搬送される上位レイヤのシグナリングを使用することによって、第1のアクセスネットワークデバイスから第3の指示情報を受信するようさらに構成され、第3の指示情報は、第2の搬送波の利用可能なリソースを示すために使用される。送信ユニット730は、利用可能なリソースを使用することによって第1のアクセスネットワークデバイスに信号を送信するよう構成される。
【０１２０】
任意選択で、受信ユニット710は、第1の搬送波上で搬送される物理レイヤシグナリングを使用することによって第1のアクセスネットワークデバイスから第3の指示情報を受信するようさらに構成され、ここで、第3の指示情報は、遅延情報を含み、遅延情報は、第2の搬送波の利用可能なスロットの量を示すために使用され、または遅延情報は、第1の搬送波の利用可能なスロットの量を示すために使用される。
【０１２１】
任意選択で、遅延情報は、第2の搬送波の利用可能なスロットの量を示すために使用される。
【０１２２】
処理ユニット720は、第2の搬送波のタイミングに基づいて、第2の指示情報が受信されたスロットに対応する第2の搬送波のスロットを取得するよう構成される。
【０１２３】
処理ユニット720は、第2の搬送波のスロットおよび遅延情報に基づいて第2の搬送波の利用可能なリソースを取得して、第2の搬送波の利用可能なリソースを使用することによって第1のアクセスネットワークデバイスと通信するようさらに構成される。
【０１２４】
任意選択で、遅延情報は、第1の搬送波の利用可能なスロットの量を示すために使用される。
【０１２５】
処理ユニット720は、遅延情報と、第3の指示情報が受信されたスロットとに基づいて、第1の搬送波の利用可能なスロットを取得するよう構成される。
【０１２６】
処理ユニット720は、第2の搬送波のタイミングに基づいて、第1の搬送波の利用可能なスロットに対応する、第2の搬送波の利用可能なリソースを取得し、第2の搬送波の利用可能なリソースを使用することによって第1のアクセスネットワークデバイスと通信するようさらに構成される。
【０１２７】
任意選択で、受信ユニット710は、第1のアクセスネットワークデバイスから第4の指示情報を受信するようさらに構成され、ここで、第4の指示情報は、第2の搬送波のリソース構成情報を示すために使用され、第2の搬送波のリソース構成情報によって示されるリソースは、端末の使用不能なリソースである。
【０１２８】
任意選択で、処理ユニット720は、第1の搬送波のサブフレームの境界とタイミングオフセットとに基づいて第2の搬送波のサブフレームの境界を決定するか、または第1の搬送波のシンボルの境界とタイミングオフセットとに基づいて第2の搬送波のシンボルの境界を決定するよう構成される。
【０１２９】
任意選択で、処理ユニット720は、タイミングオフセットと、第1の搬送波のサブフレームの境界またはシンボルの境界とに基づいて、第2の搬送波上でアップリンク信号が送信される開始位置を決定するよう構成される。
【０１３０】
端末の機能ユニットの機能は、上述の実施形態のステップを使用することによって実施されうる。したがって、本発明のこの実施形態で提供される端末の具体的な動作プロセスについて、本明細書で繰り返し述べることはしない。
【０１３１】
図8は、上記の実施形態におけるアクセスネットワークデバイスを示す他の可能な概略構造図であり、アクセスネットワークデバイスは、プロセッサ810と送信器820とを少なくとも含む。
【０１３２】
任意選択で、ワイヤレスデバイスは、メモリ830をさらに含みうる。
【０１３３】
プロセッサ810は、中央処理装置(英語:central processing unit、CPU)、またはCPUとハードウェアチップの組合せとすることができる。ハードウェアチップは、特定用途向け集積回路(英語:application-specific integrated circuit、ASIC)、プログラマブルロジックデバイス(英語:programmable logic device、PLD)、またはそれらの組合せとすることができる。PLDは、コンプレックスプログラマブルロジックデバイス(英語:complex programmable logic device、CPLD)、フィールドプログラマブルゲートアレイ(英語:field-programmable gate array、FPGA)、汎用アレイロジック(英語:generic array logic、GAL)、またはそれらの任意の組合せとすることができる。プロセッサ810は、アクセスネットワークデバイスおよび信号処理の全体を制御するよう構成される。
【０１３４】
メモリ830は、ランダムアクセスメモリ(RAM)などの揮発性メモリを含んでもよく、また、読取り専用メモリ(ROM)、フラッシュメモリ(英語:flash memory)、ハードディスク、またはソリッドステートディスクなどの不揮発性メモリを含んでもよい。メモリ830は、前述のタイプのメモリの組合せをさらに含んでもよい。メモリ830は、様々なアプリケーション、オペレーティングシステム、およびデータを格納するよう構成される。メモリ830は、格納したデータをプロセッサ810に伝送することができる。
【０１３５】
メモリ830は、プロセッサ810に一体化されていてもよいし、または独立して存在していてもよいとも理解することができる。
【０１３６】
プロセッサ810は、第1の搬送波と第2の搬送波のタイミングオフセットを決定するよう構成され、ここで、タイミングオフセットは、第1の搬送波のダウンリンク通信のタイミングと第2の搬送波のアップリンク通信のタイミングとの間のずれである。第1の搬送波は、第1の無線アクセス技術RATを用いた搬送波であり、第2の搬送波は、第1のRATおよび第2のRATを用いたアップリンクFDD搬送波である。
【０１３７】
送信器820は、第1の指示情報を端末に送信するよう構成され、ここで、第1の指示情報は、タイミングオフセットを示すために使用され、タイミングオフセットは、第2の搬送波のタイミングを決定するために使用される。送信器820は、アンテナであってもよい。
【０１３８】
なお、プロセッサ810は図6の処理ユニット610で置き換られてもよく、送信器820は図6の送信ユニット620で置き換られてもよいことに留意されたい。この実施形態では、アクセスネットワークデバイスの構成要素によって問題を解決する実施態様および利点については、図2に示す方法の実施態様および利点を参照されたい。したがって、詳細について、本明細書で繰り返して述べることはしない。
【０１３９】
図9は、上述の実施形態における端末を示す他の可能な概略構造図であり、端末は、プロセッサ910と受信器920とを少なくとも含む。
【０１４０】
任意選択で、端末は、メモリ930をさらに含みうる。
【０１４１】
プロセッサ910は、中央処理装置CPU、またはCPUとハードウェアチップの組合せとすることができる。ハードウェアチップは、特定用途向け集積回路ASIC、プログラマブルロジックデバイスPLD、またはそれらの組合せとすることができる。PLDは、コンプレックスプログラマブルロジックデバイスCPLD、フィールドプログラマブルゲートアレイFPGA、汎用アレイロジックGAL、またはそれらの任意の組合せとすることができる。プロセッサ910は、アクセスネットワークデバイスおよび信号処理の全体を制御するよう構成される。
【０１４２】
メモリ930は、ランダムアクセスメモリ(RAM)などの揮発性メモリを含んでもよく、また、読取り専用メモリ(ROM)、フラッシュメモリ(英語:flash memory)、ハードディスク、またはソリッドステートディスクなどの不揮発性メモリを含んでもよい。メモリ930は、前述のタイプのメモリの組合せをさらに含んでもよい。メモリ930は、様々なアプリケーション、オペレーティングシステム、およびデータを格納するよう構成される。メモリ930は、格納したデータをプロセッサ910に伝送することができる。
【０１４３】
メモリ930は、プロセッサ910に一体化されていてもよいし、または独立して存在していてもよいとも理解することができる。
【０１４４】
受信器920は、第1のアクセスネットワークデバイスから第1の指示情報を受信するよう構成され、ここで、第1の指示情報は、第1の搬送波と第2の搬送波のタイミングオフセットを示すために使用され、タイミングオフセットは、第1の搬送波のダウンリンク通信のタイミングと第2の搬送波のアップリンク通信のタイミングとの間のずれである。第1の搬送波は、第1の無線アクセス技術RATを用いた搬送波であり、第2の搬送波は、第1のRATおよび第2のRATを用いたアップリンクFDD搬送波である。
【０１４５】
プロセッサ910は、第1の搬送波のタイミングと、タイミングオフセットとに基づいて、第2の搬送波のタイミングを決定するよう構成される。
【０１４６】
なお、受信器920は図7の受信ユニット710で置き換られてもよく、プロセッサ910は図7の処理ユニット720で置き換えられてもよいことに留意されたい。この実施形態では、端末の構成要素によって問題を解決する実施態様および利点については、図2に示す方法の実施態様および利点を参照されたい。したがって、詳細について、本明細書で繰り返して述べることはしない。
【０１４７】
本明細書に開示する実施形態において説明した方法またはアルゴリズムのステップは、ハードウェア、プロセッサによって実行されるソフトウェアモジュール、またはそれらの組合せによって実施されうる。ソフトウェア命令は、対応するソフトウェアモジュールを含むことがあり、ソフトウェアモジュールは、ランダムアクセスメモリ、フラッシュメモリ、読取り専用メモリ、消去可能プログラマブル読取り専用メモリ(英語:erasable programmable read-only memory、EPROM)、電気的消去可能プログラマブル読取り専用メモリ(英語:electrically erasable programmable read-only memory、EEPROM)、ハードディスク、コンパクトディスク、または本技術分野で周知の他の任意の形態の記憶媒体に格納することができる。例えば、記憶媒体をプロセッサに結合して、プロセッサが記憶媒体から情報を読み取る、または記憶媒体に情報を書き込むことができるようにする。もちろん、記憶媒体は、プロセッサの構成要素であってもよい。もちろん、プロセッサと記憶媒体とは、ユーザ機器内に別個の構成要素として存在していてもよい。
【０１４８】
当業者は、上記の1つまたは複数の例において、本願に記載する機能が、ハードウェア、ソフトウェア、ファームウェア、またはそれらの任意の組合せによって実施されうることに気づくはずである。ソフトウェアまたはファームウェアによって実施されるとき、機能は、コンピュータ可読媒体に格納されてもよい。
【０１４９】
本願の目的、技術的解決策、および利点について、上記の具体的な実施形態において詳細に説明した。上記の説明は、単に本願の具体的な実施形態に過ぎず、本願の保護範囲を限定するためのものではないことを理解されたい。本願の技術的解決策に基づいて行われるいかなる修正または改良も、本願の保護範囲に含まれるものとする。
【符号の説明】
【０１５０】
610  処理ユニット
620  送信ユニット
710  受信ユニット
720  処理ユニット
810  プロセッサ
820  送信器
830  メモリ
910  プロセッサ
920  受信器
930  メモリ
【図１】
2020504561.tif 000003
【図２】
2020504561.tif 000004
【図３】
2020504561.tif 000005
【図４】
2020504561.tif 000006
【図５】
2020504561.tif 000007
【図６】
2020504561.tif 000008
【図７】
2020504561.tif 000009
【図８】
2020504561.tif 000010
【図９】
2020504561.tif 000011
【手続補正書】
【提出日】令和1年8月30日(2019.8.30)
【手続補正１】
【補正対象書類名】明細書
【補正対象項目名】０００３
【補正方法】変更
【補正の内容】
【０００３】
通信システムの進化において、6GHzより低い周波数帯域は、5G新無線(英語:New radio interface、NR)システムおよびロングタームエボリューション(英語:Long Term Evolution、LTE)システムの両方に存在する可能性がある。換言すれば、同じ周波数帯域が、5G NRとLTEに存在する可能性があり、5G NRのパフォーマンスとLTEのパフォーマンスが互いに影響を及ぼすことはできない。周波数帯域利用率の観点からは、LTEが展開されるいくつかの周波数帯域では、サービストラフィックの要件が変化するので、LTEが展開される周波数帯域の利用率が比較的低いことがある。例えば、アップリンク周波数帯域では、アップリンクサービストラフィックが比較的少ないので、LTEの周波数分割複信アップリンク(英語: frequency division duplex uplink、FDD UL)の周波数帯域の利用は比較的低い。これらの周波数帯域の帯域幅の一部、またはこれらの周波数帯域のサブフレームのうちのいくつかを5G NRで使用して、5G NR伝送を搬送することができる。換言すれば、5G NRとLTEとを1つの周波数帯域内に多重化して、同じ周波数帯域リソースを共用することができる。
【手続補正２】
【補正対象書類名】明細書
【補正対象項目名】０００４
【補正方法】変更
【補正の内容】
【０００４】
図3に示すように、f1は、LTE FDDダウンリンク(英語:downlink、DL)搬送波であり、f2は、LTE ULと5G NR ULとによってリソースが共用されるFDDアップリンク搬送波であり、f3は、5G NR専用搬送波である。搬送波f2上では、LTEが優先的に展開され、搬送波f2のフレームおよびサブフレームのタイミングは、LTEのタイミングに従う。この場合には、搬送波f2上のサブフレームのうちのいくつかを5G NRにおいて使用する必要があり、サブフレームのタイミングも、LTEのサブフレームのタイミングに従う必要がある。しかし、搬送波f3については、5G NRにおいて独立したタイミングが存在する。5G NRでは、搬送波f2のタイミングと搬送波f3のタイミングとが異なることがあり、副搬送波間隔、サブフレーム長、および伝送時間間隔(英語:transmission time interval、TTI)長が異なることもある。
【手続補正３】
【補正対象書類名】明細書
【補正対象項目名】０００５
【補正方法】変更
【補正の内容】
【０００５】
しかし、最初のアクセスを5G NRの搬送波f3上で行った5G NRユーザ機器については、その5G NRユーザ機器が共用搬送波f2上にスケジュールまたは設定されるとき、その5G NRユーザ機器は、共用搬送波f2の時間位置、例えばサブフレーム位置を取得することはできない。さらに、異なるLTE基地局のFDDタイミングは、同期していない。5G NRユーザ機器が移動し、基地局間でハンドオーバが生じるとき、5G NRユーザ機器は、ハンドオーバ中に異なるLTE基地局の共用搬送波f2の時間位置を知ることはできない。
【手続補正４】
【補正対象書類名】明細書
【補正対象項目名】００１１
【補正方法】変更
【補正の内容】
【００１１】
任意選択で、第2の搬送波のタイミングは、アクセスネットワークデバイスが端末から送信されたアップリンク信号を第2の搬送波上で受信するサブフレームの境界でありうる。あるいは、第2の搬送波のタイミングは、アクセスネットワークデバイスが端末から送信されたアップリンク信号を第2の搬送波上で受信するシンボルの境界であることもある。あるいは、第2の搬送波のタイミングは、端末が第2の搬送波上でアップリンク信号を送信する開始位置でありうる。
【手続補正５】
【補正対象書類名】明細書
【補正対象項目名】００１２
【補正方法】変更
【補正の内容】
【００１２】
任意選択の実施態様では、タイミングオフセットは、第1のアクセスネットワークデバイスの第1の搬送波と第1のアクセスネットワークデバイスの第2の搬送波のタイミングオフセットである。
【手続補正６】
【補正対象書類名】明細書
【補正対象項目名】００７３
【補正方法】変更
【補正の内容】
【００７３】
一例では、搬送波f1は、LTEダウンリンク搬送波であり、搬送波f2は、LTEと5G NRによって共用される搬送波、すなわち第2の搬送波である。搬送波f3は、5G NR専用搬送波、すなわち第1の搬送波である。図5に示すように、タイミングオフセットは、搬送波f3上のサブフレーム0の開始境界または第1のシンボルの開始境界と、対応する搬送波f2上のサブフレーム0上でアップリンクPRACH信号または他のアップリンク信号が送信される開始位置との間の時間差である。なお、本発明のこの実施形態は、タイミングオフセットを決定するために使用されるサブフレーム番号を限定するものではなく、タイミングオフセットを決定するために使用されるサブフレーム番号は、サブフレーム0であってもよく、または他のサブフレームであってもよいことに留意されたい。これは、本発明のこの実施形態に限定されない。
【手続補正７】
【補正対象書類名】明細書
【補正対象項目名】０１００
【補正方法】変更
【補正の内容】
【０１００】
任意選択で、処理ユニット610は、第1のアクセスネットワークデバイスの第1の搬送波と第1のアクセスネットワークデバイスの第2の搬送波のタイミングオフセットを決定するように特に構成される。
【手続補正８】
【補正対象書類名】明細書
【補正対象項目名】０１０３
【補正方法】変更
【補正の内容】
【０１０３】
受信ユニット630は、第2のアクセスネットワークデバイス(上記のアクセスネットワーク以外の他のアクセスネットワークデバイス)によって送信される第2のタイミングオフセットなどの第2の指示情報を受信するよう構成される。第2の指示情報は、第2のアクセスネットワークデバイスの第1の搬送波と第2のアクセスネットワークデバイスの第2の搬送波のタイミングオフセットを示すために使用される。第1のアクセスネットワークデバイスは、端末によってアクセスされるソースアクセスネットワークデバイスであり、第2のアクセスネットワークデバイスは、端末のハンドオーバのためのターゲットアクセスネットワークデバイスである。
【手続補正９】
【補正対象書類名】明細書
【補正対象項目名】０１３２
【補正方法】変更
【補正の内容】
【０１３２】
任意選択で、アクセスネットワークデバイスは、メモリ830をさらに含みうる。
【手続補正１０】
【補正対象書類名】特許請求の範囲
【補正対象項目名】全文
【補正方法】変更
【補正の内容】
【特許請求の範囲】
【請求項１】
通信方法であって、
第1の搬送波と第2の搬送波のタイミングオフセットを決定するステップであって、前記タイミングオフセットは、前記第1の搬送波のダウンリンク通信のタイミングと前記第2の搬送波のアップリンク通信のタイミングとの間のずれである、ステップと、
第1の指示情報を端末に送信するステップであって、前記第1の指示情報は、前記タイミングオフセットを示すために使用され、前記タイミングオフセットは、前記第2の搬送波の前記タイミングを決定するために使用される、ステップと、
を含む、通信方法。
【請求項２】
前記タイミングオフセットは、前記第1の搬送波のサブフレームまたはシンボルの境界と、物理ランダムアクセスチャネル(PRACH)が前記第2の搬送波上で送信される開始位置との間の時間差を示す、請求項1に記載の方法。
【請求項３】
前記第2の搬送波は、第1の無線アクセス技術(RAT)および第2のRATを用いたアップリンク周波数分割複信(FDD)搬送波である、請求項1または2に記載の方法。
【請求項４】
前記第1の搬送波は、前記第1のRATを用いた搬送波である、請求項3に記載の方法。
【請求項５】
第1の指示情報を前記端末に送信する前記ステップは、
前記第1の搬送波上で搬送されるシステムメッセージを使用することによって前記第1の指示情報を前記端末に送信するステップを含む、請求項1から4のいずれか一項に記載の方法。
【請求項６】
第1の搬送波と第2の搬送波のタイミングオフセットを決定する前記ステップは、
第1のアクセスネットワークデバイスの前記第1の搬送波と前記第1のアクセスネットワークデバイスの前記第2の搬送波の前記タイミングオフセットを決定するステップを含む、請求項1から5のいずれか一項に記載の方法。
【請求項７】
通信方法であって、前記方法は、
第1のアクセスネットワークデバイスから第1の指示情報を受信するステップであって、前記第1の指示情報は、第1の搬送波と第2の搬送波のタイミングオフセットを示すために使用され、前記タイミングオフセットは、前記第1の搬送波のダウンリンク通信のタイミングと前記第2の搬送波のアップリンク通信のタイミングとの間のずれである、ステップと、
前記第1の搬送波の前記タイミングおよび前記タイミングオフセットに基づいて、前記第2の搬送波の前記タイミングを決定するステップと、
を含む、通信方法。
【請求項８】
前記タイミングオフセットは、前記第1の搬送波のサブフレームまたはシンボルの境界と、物理ランダムアクセスチャネル(PRACH)が前記第2の搬送波上で送信される開始位置との間の時間差を示す、請求項7に記載の方法。
【請求項９】
前記第2の搬送波は、第1の無線アクセス技術(RAT)および第2のRATを用いたアップリンク周波数分割複信(FDD)搬送波である、請求項7または8に記載の方法。
【請求項１０】
前記第1の搬送波は、前記第1のRATを用いた搬送波である、請求項9に記載の方法。
【請求項１１】
第1のアクセスネットワークデバイスから第1の指示情報を受信する前記ステップは、
前記第1の搬送波上で搬送されるシステムメッセージを使用することによって、前記第1のアクセスネットワークデバイスから前記第1の指示情報を受信するステップを含む、請求項7から10のいずれか一項に記載の方法。
【請求項１２】
前記タイミングオフセットは、前記第1のアクセスネットワークデバイスの前記第1の搬送波と前記第1のアクセスネットワークデバイスの前記第2の搬送波のタイミングオフセットである、請求項7から11のいずれか一項に記載の方法。
【請求項１３】
前記第2の搬送波の前記タイミングを決定する前記ステップは、
前記タイミングオフセット、および前記第1の搬送波のサブフレームの境界またはシンボルの境界に基づいて、前記第2の搬送波上でアップリンク信号が送信される開始位置を決定するステップを含む、請求項7から12のいずれか一項に記載の方法。
【請求項１４】
アクセスネットワークデバイスであって、前記アクセスネットワークデバイスは、第1のアクセスネットワークデバイスであり、前記デバイスは、
第1の搬送波と第2の搬送波のタイミングオフセットを決定するよう構成されたプロセッサであって、前記タイミングオフセットは、前記第1の搬送波のダウンリンク通信のタイミングと前記第2の搬送波のアップリンク通信のタイミングとの間のずれである、プロセッサと、
第1の指示情報を端末に送信するよう構成された送信器であって、前記第1の指示情報は、前記タイミングオフセットを示すために使用され、前記タイミングオフセットは、前記第2の搬送波の前記タイミングを決定するために使用される、送信器と、を備える、アクセスネットワークデバイス。
【請求項１５】
前記タイミングオフセットは、前記第1の搬送波のサブフレームまたはシンボルの境界と、物理ランダムアクセスチャネル(PRACH)が前記第2の搬送波上で送信される開始位置との間の時間差を示す、請求項14に記載のデバイス。
【請求項１６】
前記第2の搬送波は、第1の無線アクセス技術(RAT)および第2のRATを用いたアップリンク周波数分割複信(FDD)搬送波である、請求項14または15に記載のデバイス。
【請求項１７】
前記第1の搬送波は、前記第1のRATを用いた搬送波である、請求項16に記載のデバイス。
【請求項１８】
前記送信器は、前記第1の搬送波上で搬送されるシステムメッセージを使用することによって前記第1の指示情報を前記端末に送信するよう特に構成される、請求項14から17のいずれか一項に記載のデバイス。
【請求項１９】
前記プロセッサは、前記デバイスの前記第1の搬送波と前記デバイスの前記第2の搬送波の前記タイミングオフセットを決定するように特に構成される、請求項14から18のいずれか一項に記載のデバイス。
【請求項２０】
端末であって、前記端末は、
第1のアクセスネットワークデバイスから第1の指示情報を受信するよう構成された受信器であって、前記第1の指示情報は、第1の搬送波と第2の搬送波のタイミングオフセットを示すために使用され、前記タイミングオフセットは、前記第1の搬送波のダウンリンク通信のタイミングと前記第2の搬送波のアップリンク通信のタイミングとの間のずれである、受信器と、
前記第1の搬送波の前記タイミングおよび前記タイミングオフセットに基づいて、前記第2の搬送波の前記タイミングを決定するよう構成されたプロセッサと、
を備える、端末。
【請求項２１】
前記タイミングオフセットは、前記第1の搬送波のサブフレームまたはシンボルの境界と、物理ランダムアクセスチャネル(PRACH)が前記第2の搬送波上で送信される開始位置との間の時間差を示す、請求項20に記載の端末。
【請求項２２】
前記第2の搬送波は、第1の無線アクセス技術(RAT)および第2のRATを用いたアップリンク周波数分割複信(FDD)搬送波である、請求項20または21に記載の端末。
【請求項２３】
前記第1の搬送波は、前記第1のRATを用いた搬送波である、請求項22に記載の端末。
【請求項２４】
前記受信器は、前記第1の搬送波上で搬送されるシステムメッセージを使用することによって、前記第1のアクセスネットワークデバイスから前記第1の指示情報を受信するよう特に構成される、請求項20から23のいずれか一項に記載の端末。
【請求項２５】
前記タイミングオフセットは、前記第1のアクセスネットワークデバイスの前記第1の搬送波と前記第1のアクセスネットワークデバイスの前記第2の搬送波のタイミングオフセットである、請求項20から24のいずれか一項に端末。
【請求項２６】
前記プロセッサは、前記タイミングオフセット、および前記第1の搬送波のサブフレームの境界またはシンボルの境界に基づいて、前記第2の搬送波上でアップリンク信号が送信される開始位置を決定するよう構成される、請求項20から25のいずれか一項に記載の端末。
【請求項２７】
実行可能な命令を含む記憶媒体と、
プロセッサとを含む、
通信装置であって、
前記実行可能な命令は、前記プロセッサによって実行されるとき、前記通信装置に、請求項1から6のいずれか一項に記載の方法を行わせる、通信装置。
【請求項２８】
実行可能な命令を含む記憶媒体と、
プロセッサとを含む、
通信装置であって、
前記実行可能な命令は、前記プロセッサによって実行されるとき、前記通信装置に、請求項7から13のいずれか一項に記載の方法を行わせる、通信装置。
【請求項２９】
プログラムが記録されたコンピュータ読み取り可能な記憶媒体であって、
前記プログラムは、コンピュータに請求項1から6のいずれか一項に記載の方法を実行させる、コンピュータ読み取り可能な記憶媒体。
【請求項３０】
プログラムが記録されたコンピュータ読み取り可能な記憶媒体であって、
前記プログラムは、コンピュータに請求項7から13のいずれか一項に記載の方法を実行させる、コンピュータ読み取り可能な記憶媒体。
【請求項３１】
コンピュータに請求項1から6のいずれか一項に記載の方法を実行させるプログラム。
【請求項３２】
コンピュータに請求項7から13のいずれか一項に記載の方法を実行させるプログラム。
【国際調査報告】
2020504561.tif 000012
2020504561.tif 000013
2020504561.tif 000014
2020504561.tif 000015